(57)【要約】      （修正有）【課題】錨の根がかりを容易解除ができる装置を提供する。【解決手段】錨１００と錨綱１０２の中間にシャックル１０１にて本発明の遠隔操作離脱装置を取り付け、万一根がかりが発生した場合には、一本の錨綱１０２で繋がった１００を、錨綱１０２を引っ張ったり、戻したりする一定の動作により遠隔操作離脱装置のガイド筒１とシャフト３が離脱し錨１００と錨綱１０２を切り離す。切り離さた後は、もう一本の連結綱１０３により錨１００の爪と反対方向から引き上げるので容易に根がかりを解除することが出来る。【選択図】図１６
2015077951.tif 000002
【特許請求の範囲】
【請求項１】
ガイド筒１にシャフト３の爪１＿３ｂをガイドするためのガイド溝１ｃを設け、シャフト３が引っ張られたり、戻ったりする動作で軌跡が変わる形状とする。シャフト３をセット位置に維持したり引っ張られた後の戻り応力を加えるために、ガイド筒１の円周外側にスライド筒２を設け、スライド筒２のガイド溝２＿２ｃはシャフト３の爪２＿３ｃと接触した状態にあり、常にコイルバネ４にてガイド筒１とシャフト３を引き寄せる。シャフト３には動作をガイドする爪１＿３ｂと戻り応力を加えるための爪２＿３ｃを設ける。ガイド筒１にシャフト３をセットした状態は、▲１▼の位置がガイド筒１にシャフト３がセットされた位置で、引っ張られた時に▲２▼→▲３▼へ移動し、戻る時には▲４▼の方向に戻り、戻り状態が持続されるとのセット位置へ戻る。通常の自然な引っ張り動作ではこの▲１▼→▲２▼→▲３▼→▲４▼→▲１▼への繰り返しとなりガイド筒１  とシャフト３が離脱することは無い。しかしこの動作を一定の故意の動作をすることにより離脱が可能となる。その動作は引っ張って▲２▼→▲３▼へ行き▲４▼へ向かった時に僅かしか戻さず再度引っ張って▲５▼の位置へ移動させ、そこから▲６▼に戻る時にまた先程と同様に僅かしか戻さず再度引っ張って▲７▼へ移動させるとガイド筒１とシャフト３を離脱させることが出来る。これを特徴とした遠隔操作離脱装置。
【請求項２】
請求項１では左右のバランスを取るためにガイド筒１のガイド溝１＿１ｃとスライド筒２のガイド溝２＿２ｃを二つづつとしているが、構造上一つのガイド溝でも成立するためコンパクト化するためにガイド溝一つの遠隔操作離脱装置。
【発明の詳細な説明】
【技術分野】
【０００１】この発明は、小型船舶などで使用する海上での係留のために海底へ下げ降ろす錨に関するものである。
【背景技術】
【０００２】海底の様子が計り知れない海上から錨を降ろした時、海底の岩礁の形状によったり干渉物があった場合、錨の本来の目的である爪の掛りが災いし外して船上へ引き上げることが出来ないことがある。
【発明の概要】
【発明が解決しようとする課題】
【０００３】海底に根がかりした錨は人間が潜水して人力にて引き上げることしか出来ず、海底の深さによっては困難であり、またその作業には危険も伴うし費用もかかる。【０００４】外すことが出来ない場合は所有者にとっては金銭的負担になり、また海底にては金属の塵と化す。【０００５】実際の事故例では根がかりした錨を無理に外そうとして無謀な操船をし、船内に浸水し船体が沈没した例がある。
【課題を解決するための手段】
【０００６】以上の課題を解決するために、錨１００と錨綱１０２の中間にシャックル１０１にて本発明の遠隔操作離脱装置を取り付け、万一根がかりが発生した場合には、一本の錨綱１０２で繋がった錨１００を、錨綱１０２を引っ張ったり、戻したりする一定の動作により遠隔操作離脱装置のガイド筒１とシャフト３が離脱し錨１００と錨綱１０２を切り離す。切り離された後は、もう一本の連結綱１０３により錨１００の爪と反対方向から引き上げるので容易に根がかりを解除することが出来る。
【発明の効果】
【０００７】潜水による引き上げの費用や水難事故の危険を回避することができる。【０００８】所有者にとっては新たに錨を購入する費用の負担や、環境衛生にとっては海底に塵を増やさないことになる。【０００９】根がかりが要因となる二次的な災害を防ぐことが出来る。
【図面の簡単な説明】
【００１０】
【図１】本発明のガイド筒１にシャフト３をセットした状態の正面図
【図２】本発明のガイド筒１にシャフト３をセットした状態の側面図
【図３】シャフト３の正面図
【図４】ガイド筒１の正面図
【図５】スライド筒２の正面図
【図６】本発明のガイド筒１にシャフト３をセットした状態でガイド筒１とシャフト３を引っ張った状態の正面図
【図７】本発明のガイド筒１にシャフト３をセットした状態でガイド筒１とシャフト３を引っ張った状態の側面図
【図８】ガイド筒１の表面を平面化した図で、シャフト３の爪１＿３ｂと爪２＿３ｃの動作を表した図。▲１▼の位置がガイド筒１にシャフト３がセットされた位置で、引っ張られた時に▲２▼→▲３▼へ移動し、戻る時には▲４▼の方向に戻り、戻り状態が持続されると▲１▼のセット位置へ戻る。通常の自然な引っ張り動作ではこの▲１▼→▲２▼→▲３▼→▲４▼→▲１▼への繰り返しとなりガイド筒１  とシャフト３が離脱することは無い。しかしこの動作を一定の故意の動作をすることにより離脱が可能となる。その動作は引っ張って▲２▼→▲３▼へ行き▲４▼へ向かった時に僅かしか戻さず再度引っ張って▲５▼の位置へ移動させ、そこから▲６▼に戻る時にまた先程と同様に僅かしか戻さず再度引っ張って▲７▼へ移動させるとガイド筒１とシャフト３を離脱させることが出来る。
【図９】Ａ−Ａ間の断面図
【図１０】Ｂ−Ｂ間の断面図
【図１１】Ｃ−Ｃ間の断面図
【図１２】Ｄ−Ｄ間の断面図
【図１３】Ｅ−Ｅ間の断面図
【図１４】Ｆ−Ｆ間の断面図
【図１５】Ｇ−Ｇ間の断面図
【図１６】錨１００に遠隔操作離脱装置を取り付けた状態で根がかりしている様子の図
【図１７】遠隔操作離脱装置が切り離されガイド筒１とシャフト３が別々になり連結綱１０３にて引き上げられる様子の図
【発明を実施するための形態】
【００１１】この発明の一実施形態を、図１に示す。ガイド筒１にはシャフト３の爪１＿３ｂをガイドするガイド溝１ｃを有し、そのガイド筒１を覆う形でスライド筒２がありそのスライド筒２はシャフト３の爪２＿３ｃに接触しコイルバネ４の応力によりセット位置▲１▼にシャフト３を戻す役目をしている。
【符号の説明】
【００１２】１ガイド筒    １ａ連結プレート１    １ｂビス１    １ｃガイド溝１
１ｄガイドピン    １ｅ連結プレート２    １ｆ連結プレート３    １ｇアイプレート１
２スライド筒    ２ａ連結プレート４    ２ｂビス２    ２ｃガイド溝２
２ｄスライドガイド    ２ｅビス３    ３シャフト    ３ａアイプレート２
３ｂ爪１    ３ｃ爪２    ４コイルバネ    ４ａボルト１    ４ｂボルト２
１００錨    １０１シャックル    １０２錨綱    １０３連結綱
【図１】
2015077951.tif 000003
【図２】
2015077951.tif 000004
【図３】
2015077951.tif 000005
【図４】
2015077951.tif 000006
【図５】
2015077951.tif 000007
【図６】
2015077951.tif 000008
【図７】
2015077951.tif 000009
【図８】
2015077951.tif 000010
【図９】
2015077951.tif 000011
【図１０】
2015077951.tif 000012
【図１１】
2015077951.tif 000013
【図１２】
2015077951.tif 000014
【図１３】
2015077951.tif 000015
【図１４】
2015077951.tif 000016
【図１５】
2015077951.tif 000017
【図１６】
2015077951.tif 000018
【図１７】
2015077951.tif 000019